(57)【要約】【課題】比較的大きな異物が逆止弁に噛み込まれる不具合が生じた場合でも、第１逆止弁の開閉弁側への逆流水の流入を防止することが可能な逆流防止装置を提供する。【解決手段】本発明の逆流防止装置は、本体部と、開閉弁と、第１逆止弁と、第２逆止弁と、大気開放弁と、バッフル部材とを備える。本体部は、内部に流路を有する。開閉弁は、開閉により流路の上流側から下流側への湯水の流通と遮断を切り替えるためのものである。第１逆止弁は、開閉弁よりも流路の下流側に設けられ、開閉弁側への湯水の逆流を防止する。第２逆止弁は、第１逆止弁よりも流路の下流側に設けられ、開閉弁側への湯水の逆流を防止する。大気開放弁は、第１逆止弁および第２逆止弁の間の流路に連通しており、逆流発生時には逆流水を排水する。バッフル部材は、第１逆止弁および第２逆止弁の間の流路内に設けられ、かつ逆流水が第２逆止弁から第１逆止弁へ向かうことを阻害する。【選択図】図１
2017009238.tif 000002
【特許請求の範囲】
【請求項１】
内部に流路を有する本体部と、
開閉により前記流路の上流側から下流側への湯水の流通と遮断を切り替えるための開閉弁と、
前記開閉弁よりも前記流路の下流側に設けられた、前記開閉弁側への湯水の逆流を防止するための第１逆止弁と、
前記第１逆止弁よりも前記流路の下流側に設けられた、前記開閉弁側への湯水の逆流を防止するための第２逆止弁と、
前記第１逆止弁および前記第２逆止弁の間の前記流路に連通しており、逆流発生時には逆流水を排水するための大気開放弁と、
前記第１逆止弁および前記第２逆止弁の間の前記流路内に設けられ、かつ逆流水が前記第２逆止弁から前記第１逆止弁へ向かうことを阻害するバッフル部材と、
を備えた、逆流防止装置。
【請求項２】
前記バッフル部材が、逆流発生時において前記第１逆止弁および前記第２逆止弁の間の前記流路を閉塞するように構成されている、請求項１に記載の逆流防止装置。
【請求項３】
前記バッフル部材は、前記第１逆止弁および前記第２逆止弁よりも弾性変形しやすい、請求項１または２に記載の逆流防止装置。
【請求項４】
前記バッフル部材は、前記第１逆止弁および前記第２逆止弁よりも厚みが薄く形成されている、請求項３に記載の逆流防止装置。
【請求項５】
前記バッフル部材は、前記第１逆止弁および前記第２逆止弁よりも軟らかい材料で構成されている、請求項３または４に記載の逆流防止装置。
【請求項６】
前記第１逆止弁は、弁体と、該弁体を支持する弁軸とを含み、
前記バッフル部材は、前記第１逆止弁の前記弁軸に取り付けられている、請求項１〜５のいずれか１項に記載の逆流防止装置。
【請求項７】
上水を加熱するための給湯経路と、
浴槽の湯水を加熱するための風呂循環経路と、
前記給湯経路と前記風呂循環経路とを接続し、かつ前記給湯経路から前記風呂循環経路に湯水を流入させるための注湯経路と、
前記給湯経路から前記注湯経路へ湯水の流通と遮断を切り替えるための注湯弁と、
を備え、
請求項１〜６のいずれか１項に記載の逆流防止装置の前記開閉弁が前記注湯弁となるように前記逆流防止装置が組み込まれている、風呂給湯器。
【発明の詳細な説明】
【技術分野】
【０００１】
本発明は、逆流防止装置および風呂給湯器に関する。
【背景技術】
【０００２】
従来の逆流防止装置として、例えば、特開２００３−３２２４０４号公報（特許文献１）および特開２０１５−７４５３号公報（特許文献２）に開示される逆流防止装置が挙げられる。これらの逆流防止装置では、本体の内部に形成された流路内に、上流から順に、開閉弁、第１逆止弁、大気開放弁および第２逆止弁が直列に配置されており、第１逆止弁の開閉弁側（給水側）への逆流水の流入を防止している。
【先行技術文献】
【特許文献】
【０００３】
【特許文献１】特開２００３−３２２４０４号公報
【特許文献２】特開２０１５−７４５３号公報
【発明の概要】
【発明が解決しようとする課題】
【０００４】
しかしながら、これらの従来の逆流防止装置は、内蔵される逆止弁に比較的大きな異物が噛み込まれた場合には、第１逆止弁の開閉弁側への逆流水の流入を防ぐことができないという問題がある。
【０００５】
本発明は、上記の課題に鑑みてなされたものであり、その目的は、比較的大きな異物が逆止弁に噛み込まれるような不具合が生じた場合でも、第１逆止弁の開閉弁側への逆流水の流入を防止することが可能な逆流防止装置および風呂給湯器を提供することである。
【課題を解決するための手段】
【０００６】
本発明の逆流防止装置は、本体部と、開閉弁と、第１逆止弁と、第２逆止弁と、大気開放弁と、バッフル部材とを備える。本体部は、内部に流路を有する。開閉弁は、開閉により流路の上流側から下流側への湯水の流通と遮断を切り替えるためのものである。第１逆止弁は、開閉弁よりも流路の下流側に設けられ、開閉弁側への湯水の逆流を防止する。第２逆止弁は、第１逆止弁よりも流路の下流側に設けられ、開閉弁側への湯水の逆流を防止する。大気開放弁は、第１逆止弁および第２逆止弁の間の流路に連通しており、逆流発生時には逆流水を排水する。バッフル部材は、第１逆止弁および第２逆止弁の間の流路内に設けられ、かつ逆流水が第２逆止弁から第１逆止弁へ向かうことを阻害する。
【０００７】
本発明の逆流防止装置において、第１逆止弁および第２逆止弁の間の流路内に設けられたバッフル部材は、逆流水が第２逆止弁から第１逆止弁へ向かうことを阻害する。これにより、比較的大きな異物が逆止弁に噛み込まれるような不具合が生じた場合でも、第１逆止弁の開閉弁側への逆流水の流入を防止することができる。
【０００８】
上記の逆流防止装置において、バッフル部材は、逆流発生時において第１逆止弁および第２逆止弁の間の流路を閉塞するように構成されている。この場合、比較的大きな異物が逆止弁に噛み込まれるような不具合が生じた場合に、第１逆止弁の開閉弁側への逆流水の流入をより確実に防止することができる。
【０００９】
上記の逆流防止装置において、バッフル部材は、第１逆止弁および第２逆止弁よりも弾性変形しやすい。この場合、通水時に変形して湯水の流通を許可することができ、湯水の通水抵抗を低減することができる。また、逆流水の発生時には、逆流水の圧力によって変形して、第１逆止弁の開閉弁側への逆流水の流入をより確実に防止することができる。
【００１０】
上記の逆流防止装置において、バッフル部材は、第１逆止弁および第２逆止弁よりも厚みが薄く形成されている。この場合、通水時に変形して湯水の流通を許可することができ、湯水の通水抵抗を低減することができる。また、逆流水の発生時には、逆流水の圧力によって変形して、第１逆止弁の開閉弁側への逆流水の流入をより確実に防止することができる。
【００１１】
上記の逆流防止装置において、バッフル部材は、第１逆止弁および第２逆止弁よりも軟らかい材料で構成されている。この場合、通水時に変形して湯水の流通を許可することができ、湯水の通水抵抗を低減することができる。また、逆流水の発生時には、逆流水の圧力によって変形して、第１逆止弁の開閉弁側への逆流水の流入をより確実に防止することができる。
【００１２】
上記の逆流防止装置において、第１逆止弁は、弁体と、該弁体を支持する弁軸とを含み、バッフル部材は、第１逆止弁の弁軸に取り付けられている。この場合、既設の逆流防止装置に対して本発明を容易に適用することができる。第１逆止弁とは別に、バッフル部材を第１逆止弁および第２逆止弁との間の流路を形成する配管等に設ける場合に比べ、既設の第１逆止弁をバッフル部材を有する第１逆止弁に交換するだけで、既設の逆流防止装置を本発明の逆流防止装置に変更することができる。
【００１３】
また、本発明の風呂給湯器は、給湯経路と、風呂循環経路と、注湯経路と、注湯弁とを備える。給湯経路は、上水を加熱するための経路である。風呂循環経路は、浴槽の湯水を加熱するための経路である。注湯経路は、給湯経路と風呂循環経路とを接続し、かつ給湯経路から風呂循環経路に湯水を流入させるための経路である。注湯弁は、給湯経路から注湯経路へ湯水の流通と遮断を切り替えるためのものであり、上記の逆流防止装置の開閉弁が用いられる。
【００１４】
本発明の風呂給湯器においては、第１逆止弁および第２逆止弁の間の流路内に設けられたバッフル部材は、逆流水が第２逆止弁から第１逆止弁へ向かうことを阻害する。これにより、比較的大きな異物が逆止弁に噛み込まれるような不具合が生じた場合でも、第１逆止弁の開閉弁側への逆流水の流入を防止することができる。
【発明の効果】
【００１５】
本発明によれば、比較的大きな異物が逆止弁に噛み込まれるような不具合が生じた場合でも、第１逆止弁の開閉弁側への逆流水の流入を防止することが可能な逆流防止装置および風呂給湯器を提供することができる。
【図面の簡単な説明】
【００１６】
【図１】実施形態１における逆流防止装置の構成を示す断面図である。
【図２】図１に示す逆流防止装置の通水時の状態を示す断面図である。
【図３】実施形態１における逆流防止装置のバッフル部材の構成を示す断面斜視図である。
【図４】実施形態１におけるバッフル部材の構成を説明するための断面図である。
【図５】実施形態１におけるバッフル部材の変形例の構成を説明するための断面図である。
【図６】実施形態２における逆流防止装置の構成を示す断面図である。
【図７】図６に示す逆流防止装置の通水時の状態を示す断面図である。
【図８】実施形態３における逆流防止装置の構成を示す断面図である。
【図９】実施形態１における風呂給湯器の構成を示す概略図である。
【図１０】従来の逆流防止装置の構成を示す断面図である。
【発明を実施するための形態】
【００１７】
以下、本発明の実施形態について、図に基づいて説明する。なお、図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００１８】
＜実施形態１＞
本発明の実施形態１における逆流防止装置の構成について図１〜図５を参照して説明する。
【００１９】
主に図１および図２を参照して、本実施形態の逆流防止装置は、主に本体１０と、開閉弁４と、第１逆止弁２１と、第２逆止弁２２と、大気開放弁３と、バッフル部材２１ａとを備える。
【００２０】
本体１０は、ケーシング１ａ〜１ｃからなり、内部に流路（１次側流路１１、２次側流路１２および中間流路１６）を有している。なお、ケーシング１ａ〜１ｃは、互いに分離可能に結合されている。このため、ケーシング１ａ〜１ｃを分離することで、第１逆止弁２１および第２逆止弁２２のメンテナンスや交換を行うことができる。
【００２１】
開閉弁（パイロット式電磁弁）４は、開閉により流路の上流側から下流側への湯水の流通と遮断を切り替えるためのものである。すなわち、開閉弁４は、１次側流路１１と２次側流路１２との連通部分である弁開口部１３をダイヤフラム弁体４０によって開閉し、１次側流路１１から２次側流路１２への通水のオン・オフを切り替えることができる。
【００２２】
パイロット式電磁弁４は、ダイヤフラム弁体４０と、電磁ソレノイド４４を駆動源とするプランジャ４３とを備えている。ダイヤフラム弁体４０は、弁開口部１３の周縁に位置する弁座１４に対向して往復動可能であり、可撓性を有するダイヤフラム４１に、比較的硬質の樹脂製のダイヤフラムプレート４２を組み付けて構成されている。ダイヤフラム弁体４０のうち、弁座１４の周囲にはみ出して１次側流路１１に対面する部分は、１次圧Ｐ１を受ける。
【００２３】
ダイヤフラム弁体４０の背面側には、背圧室１５が形成されている。ダイヤフラム弁体４０には、背圧室１５を２次側流路１２と連通させるためのパイロット孔４２ａ、および背圧室１５を１次側流路１１と連通させるためのブリード孔４２ｂを有している。背圧室１５内の圧力は、ブリード孔４２ｂを介して１次側流路１１と連通しているために１次圧Ｐ１と同圧となる。
【００２４】
プランジャ４３は、ダイヤフラムプレート４２の背面側において往復動自在であり、図１に示されるように、その前進時には、パイロット孔４２ａを閉塞しつつ、ダイヤフラム弁体４０を弁座１４側に押圧することが可能である。図示説明は省略するが、プランジャ４３を後退させた際には、パイロット孔４２ａが開状態となって背圧室１５と２次側流路１２とが連通するため、ダイヤフラム弁体４０を後退させて弁開口部１３を開状態とすることが可能である。
【００２５】
第１逆止弁２１および第２逆止弁２２は、流路の上流側からこの順に直列に設けられている。第１逆止弁２１および第２逆止弁２２は、弁体２１ｄ，２２ｄと、弁体を支持する弁軸２１ｃ，２２ｃとを含む。弁軸２１ｃ，２２ｃは、支持体２１ｂ，２２ｂによって、弁軸２１ｃ，２２ｃの軸方向に摺動可能に支持されている。
【００２６】
第１逆止弁２１および第２逆止弁２２は、このような構成により、通水時には、弁体２１ｄ，２２ｄと弁座２１ｅ，２２ｅとが通水圧によって離間することで、２次側流路１２側（下流側）への通水を許容する。一方で、逆流水の発生時には、弁体２１ｄ，２２ｄと弁座２１ｅ，２２ｅとが密着することで流路を閉塞し、開閉弁側（上流側）への逆流を阻止することができる。
【００２７】
大気開放弁３は、第１逆止弁２１および第２逆止弁２２の間の流路に連通しており、逆流発生時には逆流水を排水する。すなわち、大気開放弁３は、第２逆止弁２２（弁体２２ｄと弁座２２ｅとの間）に異物の噛み込みを生じるなどして、第１逆止弁２１および第２逆止弁２２間の中間流路１６に逆流水が進行してきた場合に、中間流路１６に連通する連通路１７に空気を送り込みつつ、逆流水を外部に排出させるためのものである。この大気開放弁３は、バネ３１によって弁開方向に付勢されたダイヤフラム３０を有し、このダイヤフラム３０の背面側の圧力室３２には、１次側流路１１からの１次圧Ｐ１が供給されている。１次圧Ｐ１が低下すると、バネ３１の力によってダイヤフラム３０が開弁状態に後退し、弁開口部３３が開放する。このことにより、逆流水が排水路３４を介して外部に排出される。
【００２８】
バッフル部材２１ａは、第１逆止弁２１および第２逆止弁２２の間の流路内に設けられ、かつ逆流水が第２逆止弁２２から第１逆止弁２１へ向かうことを阻害するものであり、かつ、通常の通水時には湯水の流通を許可するものである。
【００２９】
図１０を参照して、従来の逆流防止装置では、第１逆止弁２１（弁体２１ｄと弁座２１ｅとの間）と第２逆止弁２２（弁体２２ｄと弁座２２ｅとの間）の両方に比較的大きな異物が噛み込まれた場合に、１次側流路１１が負圧となり、逆圧が印加されると、第２逆止弁２２（弁体２２ｄと弁座２２ｅとの間）の小さな隙間から勢いよく逆流水が噴射される可能性がある（図１０の点線矢印）。この場合、噴射された逆流水が第１逆止弁２１（弁体２１ｄと弁座２１ｅとの間）の小さな隙間を通過して、開閉弁４側に達する恐れがあり、さらには、１次側流路１１が負圧となった場合には逆流を防止できない開閉弁４（パイロット式電磁弁等）を通り抜けて、１次側流路に達し、上水が汚染されてしまう恐れがあった（図１０の点線矢印）。
【００３０】
これに対して、本実施形態の逆流防止装置では、第１逆止弁２１と第２逆止弁２２の両方に異物が噛み込まれ、１次側流路１１が負圧となった場合でも、第１逆止弁２１および第２逆止弁２２の間の流路内に設けられた（弁軸２１ｃに取り付けられた）バッフル部材２１ａが、逆流水が第２逆止弁２２から第１逆止弁２１へ向かうことを阻害する。具体的には、図１に点線矢印で示すように、第２逆止弁２２（弁体２２ｄと弁座２２ｅとの間）の小さな隙間から噴射された逆流水は、バッフル部材２１ａに衝突して、大気開放弁３側へ落下する。このように、バッフル部材２１ａによって、確実に逆流水を大気開放弁３に導くことができ、比較的大きな異物が第１逆止弁２１および第２逆止弁２２の両方に噛み込まれるような不具合が生じた場合でも、第１逆止弁２１の開閉弁４側への逆流水の流入を防止することができる。
【００３１】
バッフル部材２１ａは、第１逆止弁２１（弁体２１ｄ）および第２逆止弁２２（弁体２２ｄ）よりも弾性変形しやすい材料、すなわち弾性率（ヤング率など）が大きい材料（例えば、ゴムまたは樹脂）から構成される。該材料は第１逆止弁２１および第２逆止弁２２よりも軟らかい（硬度が低い）材料であることが好ましい。
【００３２】
また、バッフル部材２１ａは、第１逆止弁２１（弁体２１ｄ）、および、第２逆止弁２２（弁体２２ｄ）よりも厚みが薄く形成されている。厚みが薄く形成されていることにより、弾性変形しやすい材料が、より変形しやすくなるため、湯水の通水抵抗をより低減することができ、かつ第１逆止弁２１および第２逆止弁２２の間の流路をより確実に閉塞でき、第１逆止弁２１の開閉弁側への逆流水の流入をより確実に防止することができる。
【００３３】
なお、バッフル部材２１ａが弾性変形しやすい材質から構成されることにより、バッフル部材２１ａと支持体２１ｂとの間に比較的大きな異物が噛み込まれた場合でも、水流によって異物が容易に押し流され易い。また、バッフル部材２１ａが変形するため、バッフル部材２１ａを設けても第１逆止弁２１（弁体２１ｄと弁座２１ｅとの間）の開閉動作を阻害する可能性は少ない。
【００３４】
主に図３を参照して、バッフル部材２１ａは、中心に孔を有する円板状の部材である。なお、バッフル部材２１ａの孔は、第１逆止弁２１の弁軸２１ｃの先端の凹部に嵌合されている。バッフル部材２１ａは伸縮性を有しており、孔のサイズを一時的に拡大させることにより、孔を第１逆止弁２１の弁軸２１ｃの凹部に嵌合させることができる。嵌合後には、孔のサイズが元に戻るため、バッフル部材２１ａは第１逆止弁２１の弁軸２１ｃからの抜けなくなる。
【００３５】
弁軸２１ｃは、支持体２１ｂによってその軸方向に摺動可能に支持されているが、支持体２１ｂの弁軸２１ｃの周囲の部分には湯水の流れ方向に貫通した貫通孔２１ｂａを有している。バッフル部材２１ａは、逆流発生時において、逆流圧により変形し、支持体２１ｂの貫通孔２１ｂａを閉じるように構成されている。バッフル部材２１ａは、逆流発生時において、第１逆止弁２１および第２逆止弁２２の間の流路を閉塞することができる。
【００３６】
一方、図２を参照して、通常の通水時にバッフル部材２１ａが上流側から正圧を受けた際には、バッフル部材２１ａが下流側に曲がるように変形する。これにより、バッフル部材２１ａによる通水時の抵抗が減じられる。
【００３７】
なお、図４（Ａ）を参照して、バッフル部材２１ａは、弁軸２１ｃとの接続部を除き厚みが一定であることが好ましい。例えば、図４（Ｃ）に示されるようにバッフル部材２１ａの厚みが外周端に向かって薄くなっている場合、外周端の近傍だけが主に屈曲するため、通水時の抵抗を減じる効果が低くなる。一方、バッフル部材２１ａの厚みが一定である場合、図４（Ｂ）に示されるように、弁軸２１ｃに近い位置で屈曲するため、通水時の抵抗を減じる効果が高くなる。
【００３８】
本実施形態の逆流防止装置（バッフル部材２１ａ）の変形例としては、図５（Ａ）および（Ｂ）に示されるように、バッフル部材２１ａが軸体２１ｆを中心に回動可能な２つの半円板状の部材（図５（Ｃ））から構成されていてもよい。この場合も上記のバッフル部材と同様の効果が得られる。
【００３９】
また、バッフル部材２１ａが軸体２１ｆを中心に回動するため、通水時に容易に通水の進行方向に回動するため（図５（Ｃ）参照）、通水時の抵抗をさらに減少させることができる。なお、この場合は、バッフル部材２１ａが回動するため、バッフル部材の構成材料として比較的弾性変形の小さい材料を用いた場合でも、通水時の抵抗を減少させることができる。ただし、逆流が発生したときに軸体２１ｆの両端付近に隙間ができるため、第１逆止弁２１と第２逆止弁２２との間の流路を完全に閉塞することは難しくなるが、逆流水が第２逆止弁２２から第１逆止弁２１へ向かうことを阻害することは可能である。
【００４０】
なお、バッフル部材２１ａは、第２逆止弁２２から第１逆止弁２１側への噴出する逆流水の通過位置を遮るように設けられていれば、逆流水が第２逆止弁２２から第１逆止弁２１へ向かうことを阻害するができる。逆流水の噴出は、弁軸２１ｃの下方で生じる場合が多いため、バッフル部材２１ａは、少なくとも弁軸２１ｃの下方に設けられていればよい。すなわち、バッフル部材２１ａは、例えば、弁軸２１ｃの下方に設けられた半円板状のものであってもよい。なお、図５に示す変形例においては、弁軸２１ｃの下方の半円板状のバッフル部材２１ａだけが設けられていてもよい。上記理由から、図３に示す本実施形態の変形例として、円板状のバッフル部材２１ａの上半分を半円状とし、下半分を半楕円（上下方向を長軸とする楕円の下半分）のような下方に長い形状とすることもできる。この場合、バッフル部材２１ａの下半分が連通路１７の壁面と面接触することが可能となり、より確実に逆流水の通水を阻害することができる。
【００４１】
＜風呂給湯器＞
次に、図９を参照して、本実施形態の風呂給湯器について説明する。図９に示す風呂給湯器１００は、および浴槽７の循環アダプタ７１と風呂給湯器１００とを接続する配管６３ａ，６３ｂを備えている。配管６３ａ，６３ｂは、追い焚き用の風呂循環経路６３の構成要素である。
【００４２】
風呂給湯器１００は、カランなどへの給湯機能、浴槽７への湯張り（注湯）機能、および、風呂追い焚き機能を備えており、その基本的な構成は従来既知のものと同様である。
【００４３】
風呂給湯器１００は、バーナ５０ａ，５０ｂと、熱交換器５１ａ，５１ｂとを備えている。バーナ５０ａおよび熱交換器５１ａは、給湯（一般給湯）用である。給湯動作は、入水口６０ａに供給された水が配管６１ａを介して熱交換器５２ａに供給されて加熱された後に、湯が配管６１ｂを介してカランなどに供給される。なお、配管６１ａと配管６１ｂとを含む上水を加熱するための経路が給湯経路６１である。
【００４４】
浴槽７への湯張り動作においては、注湯弁４が開状態とされて、配管６１ｂ内の湯水が注湯経路６２へ流れ、配管（戻り配管）６３ｂを介して浴槽７に供給される。この注湯弁４は、本実施形態における逆流防止装置１の開閉弁４に相当する。
【００４５】
バーナ５０ｂおよび熱交換器５１ｂは、風呂追い焚き用である。風呂追い焚き用の風呂循環経路６３は、循環アダプタ７１から熱交換器５１ｂまでの配管（往き配管）６３ａ、および、熱交換器５１ｂから循環アダプタ７１までの風呂配管（戻り配管）６３ｂから構成されている。配管６３ａの途中には、循環ポンプ２０が設けられている。
【００４６】
風呂追い焚き動作においては、循環ポンプ２０を運転させ、浴槽７の湯水を図９の矢印の向きに風呂循環経路６３内で流通させる。具体的には、浴槽７の湯水は、循環アダプタ７１の吸込口から配管６３ａを経由して熱交換器５１ｂに送り込まれ、この熱交換器５１ｂによって加熱された湯水は配管６３ａを経由して循環アダプタ７１の吐出口から浴槽７に戻される。
【００４７】
逆流防止装置１は、給湯経路６１と追い焚き用の風呂循環経路６３とを接続する注湯経路６２の途中に設けられる。この場合、逆流防止装置の１次側流路１１は給湯経路６１側に配管接続され、２次側流路１２は風呂循環経路６３側に配管接続される。風呂循環経路６３は、浴槽７の湯水をポンプによって汲み上げてから追い焚き用の熱交換器５１ｂによって加熱した後に浴槽７に戻す経路である。したがって、このような風呂循環経路６３の湯水（汚水）が給湯経路６１側（上水道側）に逆流すると、上水が汚染されるため、このような逆流は適切に防止される必要がある。
【００４８】
＜実施形態２＞
図６および図７を参照して、本実施形態の逆流防止装置は、バッフル部材２２ａが大気開放弁３より下流側の第２逆止弁２２にも設けられている点で、実施形態１とは異なる。それ以外の点は、実施形態１と同様であり、実施形態１と重複する説明についてはここでは説明を繰り返さない。
【００４９】
図６に示されるように、本実施形態においては、逆流発生時において、先ず比較的大きな異物が噛み込まれた第２逆止弁２２において、バッフル部材２２ａにより逆流水は減圧される。減圧された逆流水は、第２逆止弁２２の弁体２２ｄと弁座２２ｅとの間の隙間を通過しても、勢いよく噴射されることはなく、連通路１７内を大気開放弁３側へ落下していく。これにより、逆流水が第２逆止弁２２から第１逆止弁２１へ向かうことがさらに阻害され、さらに確実に第１逆止弁２１の開閉弁側への逆流水の流入を防止することができる。なお、バッフル部材２２ａの材料として、バッフル部材２１ａと同様に、第１逆止弁２１（弁体２１ｄ）および第２逆止弁２２（弁体２２ｄ）よりも弾性変形しやすい材料などを用いることで、２つのバッフル部材２１ａ，２２ａを備える場合でも、通水抵抗の増加をできる限り低減することが可能である。
【００５０】
＜実施形態３＞
本実施形態の逆流防止装置は、図８に示されるように、第１逆止弁２１と第２逆止弁２２との間の流路（中間流路１６）内に設けられるバッフル部材が、中間流路１６の上部の内壁に設けられたフラップ弁２１ｇである点で、実施形態１とは異なる。それ以外の点は、実施形態１と同様であり、実施形態１と重複する説明についてはここでは説明を繰り返さない。
【００５１】
このフラップ弁２１ｇは、通水時の順方向の水圧に対しては開放端が上方に移動可能であるため、開弁状態となることで湯水の通過を許可する。他方、逆流発生時には、１次側流路１１の負圧によって支持体２１ｂに密着し、流路（貫通孔２１ｂａ）を閉塞するため、逆流水の第１逆止弁２１の開閉弁４側（給水側）への通過を防止することができる。
【００５２】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  逆流防止装置、１０  本体、１１  １次側流路、１２  ２次側流路、１３  弁開口部、１４  弁座、１５  背圧室、１６  中間流路、１７  連通路、１００  風呂給湯器、２１  第１逆止弁、２１ａ  バッフル部材、２１ｂ  支持体、２１ｂａ  貫通孔、２１ｃ  弁軸、２１ｄ  弁体、２１ｅ  弁座、２１ｆ  軸体、２１ｇ  フラップ弁、２２  第２逆止弁、３  大気開放弁、３０  ダイヤフラム、３１  バネ、３２  圧力室、３３  弁開口部、３４  排水路、４  開閉弁（パイロット式電磁弁、注湯弁）、４０  ダイヤフラム弁体、４１  ダイヤフラム、４２  ダイヤフラムプレート、４２ａ  パイロット孔、４２ｂ  ブリード孔、４３  プランジャ、４４  電磁ソレノイド、６１  給湯経路、６１ａ，６１ｂ  配管、６２  注湯経路、６３  風呂循環経路、６３ａ，６３ｂ  配管、７  浴槽、７１  循環アダプタ。
【図１】
2017009238.tif 000003
【図２】
2017009238.tif 000004
【図３】
2017009238.tif 000005
【図４】
2017009238.tif 000006
【図５】
2017009238.tif 000007
【図６】
2017009238.tif 000008
【図７】
2017009238.tif 000009
【図８】
2017009238.tif 000010
【図９】
2017009238.tif 000011
【図１０】
2017009238.tif 000012